(57)【特許請求の範囲】
【請求項１】
板状の奥壁部と、該奥壁部の両側の端縁から互いに同一方向に向けて該奥壁部に対し垂直にそれぞれ延設される一対の側壁部と、該一対の側壁部におけるそれぞれの端縁から互いに内側に向けて該側壁部に対し垂直にそれぞれ延設される一対の前壁部とを備える有機ＥＬ照明パネル用取付け装置において、
前記奥壁部の内面には、一方の側壁部寄りに該一方の側壁部に沿った方向に凹部が形成されていること
を特徴とする有機ＥＬ照明パネル用取付け装置。
【請求項２】
有機ＥＬ照明パネルに電力を供給するための給電部が他方の側壁部寄りに形成されていること
を特徴とする請求項１に記載の有機ＥＬ照明パネル用取付け装置。
【請求項３】
前記一方の側壁部の内面には、他方の側壁部の方向に付勢する弾性部材が設けられていること
を特徴とする請求項１又は請求項２に記載の有機ＥＬ照明パネル用取付け装置。
【発明の詳細な説明】
【技術分野】
【０００１】
本発明は、有機ＥＬ（electro luminescence）を利用した有機ＥＬ照明パネルを壁や天井等の取付け面に取り付けるための有機ＥＬ照明パネル用取付け装置に関する。
【背景技術】
【０００２】
有機ＥＬ素子は、自己発光のために液晶素子に較べて明るく、鮮明な表示が可能であることから、比較的古くから研究開発がされてきた。特に、１９８７年にコダック社のＣ．Ｗ．Ｔａｎｇらが積層構造の有機ＥＬ素子を提案して以来、この素子が消費電力、輝度、応答性及び視野角の諸点で優れていることから注目を浴び、有機ＥＬディスプレイに関する研究開発が活発化し、さらに近年では、照明用途への研究開発も活発化している。
【０００３】
図７は、特許文献１に記載の表示装置の構成を示す断面図である。図８は、表示装置の組立工程を説明するための図である。
【０００４】
図７において、特許文献１に記載の表示装置５００は、液晶パネルやＥＬパネル等の矩形平板状の表示パネル５１２と、フレキシブル配線基板５１６によって表示パネル５１２に接続され、表示パネル５１２を駆動するための駆動回路基板５１７と、表示パネル５１２及び駆動回路基板５１７を保持するフレーム５２１とを備えて構成される。
【０００５】
フレーム５２１は、表示パネル５１２と略同形の矩形平板状に形成された基板部５２２を備えており、この基板部５２２の各周縁には、この基板部５２２の周縁の周方向に沿って、この基板部５２２における一主面側及び他主面側のそれぞれに向けて突出した保持リブ５２３、５２４が形成されている。この保持リブ５２３により表示パネル５１２が嵌め込まれる嵌込凹部５２５が形成され、保持リブ５２４により駆動回路基板５１７が配設される配設凹部５２６が形成される。
【０００６】
フレーム５２１の各保持リブ５２３、５２４の内周面は、基板部５２２の面方向に対して垂直に切り立った平面状にそれぞれ形成されている。そして、嵌込凹部５２５の一側の保持リブ５２３の上端部には、内縁面が表示パネル５１２における表示面の面方向に対する法線方向に対して一定の角度を持って傾斜した斜面部５２７を有する位置決めリブ５２８が一体的に形成されている。
【０００７】
このような構成の表示装置５００を組み立てる場合、まず、フレーム５２１の嵌込凹部５２５内における基板部５２２の表面部の所定位置に、両面テープが貼り付けられる。次ぎに、図８（Ａ）に示すように、フレーム５２１における位置決めリブ５２８の斜面部５２７に、表示パネル５１２の一側面を当て付けて、この表示パネル５１２の一側面をフレーム５２１の位置決めリブ５２８の斜面部５２７に面接触させる。そして、表示パネル５１２の一側面によるフレーム５２１における位置決めリブ５２８の斜面部５２７への面接触を確保しながら、この表示パネル５１２の一側面を位置決めリブ５２８の斜面部５２７に沿わせつつ、表示パネル５１２を回転させて、この表示パネル５１２の他側面をフレーム５２１の嵌込凹部５２５に嵌め込んで、図８（Ｂ）に示すように、この表示パネル５１２をフレーム５２１の嵌込凹部５２５内に両面テープにて固定する。このような工程によって、表示パネル５１２がフレーム５２１に組み付けられる。
【０００８】
このような構成の表示装置５００では、表示パネル５１２における表示面の面方向に対する法線方向であって表示パネル５１２からフレーム５２１への方向に重力が作用するように表示装置５００が使用される場合には、両面テープの接着強度は、問題とならないが、表示パネル５１２における表示面の面方向と略平行な方向に重力が作用するように表示装置５００が使用される場合や、表示パネル５１２における表示面の面方向に対する法線方向であってフレーム５２１から表示パネル５１２への方向に重力が作用するように表示装置５００が使用される場合等では、両面テープの接着強度が問題となる。
【０００９】
そのため、有機ＥＬ照明パネルは、図９に示す構造の有機ＥＬ照明パネル用取付け装置によって保持される。図９は、背景技術に係る有機ＥＬ照明パネル用取付け装置の構造を示す斜視図である。
【００１０】
図９において、有機ＥＬ照明パネル用取付け装置６００は、長尺板状の奥壁部６０１と、奥壁部６０１の両側の端縁から互いに同一方向に向けて奥壁部６０１に対し垂直にそれぞれ延設される一対の側壁部６０２−１、６０２−２と、一対の側壁部６０２−１、６０２−２におけるそれぞれの端縁から互いに内側に向けて側壁部６０２−１、６０２−１に対し垂直にそれぞれ延設される一対の前壁部６０３−１、６０３−２とを備えて構成される。そして、奥壁部６０１の内面には、有機ＥＬ照明パネル７００に電力を供給するための給電部６０４が所定位置に形成されている。
【００１１】
このような有機ＥＬ照明パネル用取付け装置６００に有機ＥＬ照明パネル７００を取り付ける場合、長手方向の一方端の開放口６１１から、奥壁部６０１と側壁部６０２−１、６０２−２と前壁部６０３−１、６０３−２とにより形成される断面形状略コ字状の一対の空間６２１−１、６２１−２に矩形平板状の有機ＥＬ照明パネル７００における両側端７０１−１、７０１−２をそれぞれ嵌め込み、この一対の空間６２１−１、６２１−２を長手方向に配設位置まで有機ＥＬ照明パネル７００を滑らせることによって、有機ＥＬ照明パネル７００は、有機ＥＬ照明パネル用取付け装置６００に取り付けられる。そして、複数の有機ＥＬ照明パネル７００を有機ＥＬ照明パネル用取付け装置６００に取り付ける場合では、同様の手順で複数の有機ＥＬ照明パネル７００を順に送り込むことによって、複数の有機ＥＬ照明パネル７００は、有機ＥＬ照明パネル用取付け装置６００に取り付けられる。
【特許文献１】特開２００３−１５７０２３号公報
【発明の開示】
【発明が解決しようとする課題】
【００１２】
ところで、図９に示すダクト構造の有機ＥＬ照明パネル用取付け装置６００では、一対の空間６２１−１、６２１−２を長手方向に配設位置まで有機ＥＬ照明パネル７００を滑らせることによって、有機ＥＬ照明パネル７００を有機ＥＬ照明パネル用取付け装置６００に取り付けているので、有機ＥＬ照明パネル７００を有機ＥＬ照明パネル用取付け装置６００に取り付けた後に有機ＥＬ照明パネル７００が故障すると、この故障した有機ＥＬ照明パネル７００を交換するために、この故障した有機ＥＬ照明パネル７００と開放口６１１との間に存在する有機ＥＬ照明パネル７００を取り外す必要がある。このため、煩雑で手間がかかるとういう不都合がある。そして、有機ＥＬ照明パネル用取付け装置６００を壁や天井等の取付け面に配設した施工後において、さらに有機ＥＬ照明パネル７００を増設しようとすると、長手方向の一方の開放口６１１から一対の空間６２１−１、６２１−２に有機ＥＬ照明パネル７００を嵌め込んで滑らせるので、この開放口６１１の外方には、有機ＥＬ照明パネル７００に相当する面積の空間が必要である。
【００１３】
また、長手方向の一方の開放口６１１から一対の空間６２１−１、６２１−２に有機ＥＬ照明パネル７００を嵌め込んで滑らせるので、奥壁部６０１等の内面に形成されている給電部６０４が有機ＥＬ照明パネル７００と擦れるため、損傷してしまうという不都合もある。
【００１４】
本発明は、上記事情に鑑みて為された発明であり、容易に有機ＥＬ照明パネルを取り付けることができる有機ＥＬ照明パネル用取付け装置を提供することを目的とする。
【課題を解決するための手段】
【００１５】
本発明者は、種々検討した結果、上記目的は、以下の本発明により達成されることを見出した。即ち、本発明に係る一態様では、板状の奥壁部と、該奥壁部の両側の端縁から互いに同一方向に向けて該奥壁部に対し垂直にそれぞれ延設される一対の側壁部と、該一対の側壁部におけるそれぞれの端縁から互いに内側に向けて該側壁部に対し垂直にそれぞれ延設される一対の前壁部とを備える有機ＥＬ照明パネル用取付け装置において、前記奥壁部の内面には、一方の側壁部寄りに該一方の側壁部に沿った方向に凹部が形成されていることを特徴とする。
【００１６】
そして、上述の有機ＥＬ照明パネル用取付け装置において、有機ＥＬ照明パネルに電力を供給するための給電部が他方の側壁部寄りに形成されていることを特徴とする。
【００１７】
さらに、これら上述の有機ＥＬ照明パネル用取付け装置において、前記一方の側壁部の内面には、他方の側壁部の方向に付勢する弾性部材が設けられていることを特徴とする。
【発明の効果】
【００１８】
このような構成の有機ＥＬ照明パネル用取付け装置では、有機ＥＬ照明パネルは、背景技術に較べて容易に有機ＥＬ照明パネル用取付け装置に取り付けることができる。
【発明を実施するための最良の形態】
【００１９】
以下、本発明に係る実施形態を図面に基づいて説明する。なお、各図において同一の符号を付した構成は、同一の構成であることを示し、その説明を省略する。また、本明細書において、総称する場合には添え字を省略した参照符号で示し、個別の構成を指す場合には添え字を付した参照符号で示す。
（第１の実施形態）
図１は、第１の実施形態に係る有機ＥＬ照明パネル用取付け装置の構成を示す図である。図１（Ａ）は、有機ＥＬ照明パネル用取付け装置の斜視図であり、図１（Ｂ）は、給電電極を含む位置における、有機ＥＬ照明パネル用取付け装置の断面図である。図２は、有機ＥＬ照明パネル用取付け装置における各部の寸法を説明するための断面図である。
【００２０】
図１において、第１の実施形態に係る有機ＥＬ照明パネル用取付け装置１は、板状の奥壁部１１と、奥壁部１１の両側の端縁から互いに同一方向に向けて奥壁部１１に対し垂直にそれぞれ延設される一対の側壁部１２（１２−１、１２−２）と、一対の側壁部１２におけるそれぞれの端縁から互いに内側に向けて側壁部１２に対し垂直にそれぞれ延設される一対の前壁部１３（１３−１、１３−２）とを備える。そして、奥壁部１１と側壁部１２（１２−１、１２−２）と前壁部１３（１３−１、１３−２）とによって、有機ＥＬ照明パネル１００を保持するための、断面形状略コ字状の一対の保持空間１５（１５−１、１５−２）が形成されている。奥壁部１１の幅、即ち、有機ＥＬ照明パネル用取付け装置１の幅は、取り付けられる有機ＥＬ照明パネル１００の幅及びその枚数等に応じて適宜決定される。本実施形態では、有機ＥＬ照明パネル用取付け装置１は、複数の有機ＥＬ照明パネル１００が取付け可能に構成されることから、奥壁部１１は、長尺である。
【００２１】
ここで、第１に、注目すべきは、有機ＥＬ照明パネル用取付け装置１における奥壁部１１の内面には、一方の側壁部１２寄り（図１に示す例では図中上方の側壁部１２−１寄り）に、この一方の側壁部１２−１に沿った方向に凹部１６が形成されていることである。図１に示す例では、凹部１６は、断面略矩形で長手方向に形成されており、上記一方の側壁部１２−１寄り（図１に示す例では図中上方）の側面１６ａは、上記一方の側壁部１２−１の内面１２ａ−１と連続している。また、図１中矢印Ｘで示す正面から有機ＥＬ照明パネル用取付け装置１を見た場合、凹部１６は、上記一方の側壁部１２−１に延設する一方の前壁部１３（図１に示す例では図中上方の前壁部１３−１）によって隠れることなく（遮蔽されることなく）、凹部１６の一部が見えるような大きさに形成されている。
【００２２】
より具体的には、図２に示すように、奥壁部１１の長さをＬ１、一方の側壁部１２−１の厚みをＬ３、上記一方の前壁部１３−１の長さをＬ４、有機ＥＬ照明パネル用取付け装置１の一方側から上記一方の前壁部１３−１の端部までの長さをＬ２、他方の側壁部１２（図１及び図２に示す例では図中下方の側壁部１２−２）の厚みをＬ７、他方の前壁部１３（図１及び図２に示す例では図中下方の前壁部１３−２）の長さをＬ６、有機ＥＬ照明パネル用取付け装置１の他方側から上記他方の前壁部１３−２の端部までの長さをＬ５、凹部１６の長さをＬ８、凹部１６における上記一方の側壁部１２−１寄りの側面１６ａが上記一方の側壁部１２−１の内面１２ａ−１と連続している場合、上記一方の前壁部１３−１の端部から凹部１６における上記側面１６ａに対向する側面１６ｂの延長線までの距離をＬ９、有機ＥＬ照明パネル用取付け装置１の厚み（奥壁部１１の外面から前壁部１３の外面までの厚み）をＷ１、凹部１６が形成されている部分の奥壁部１１の厚みをＷ２、凹部１６の深さをＷ５、側壁部１２の高さ（保持空間１５の厚み）をＷ６、凹部１６の底面１６ｃから上記一方の前壁部１３−１の内面までの距離をＷ３、及び、前壁部１３の厚みをＷ４とし、有機ＥＬ照明パネル用取付け装置１に取り付けられる有機ＥＬ照明パネル１００の長さをＰＬ、その厚みをＰＷとすると、後述するように、上記一方の前壁部１３−１の端部と上記他方の前壁部１３−２の端部とによって形成される開口部１９から有機ＥＬ照明パネル１００を有機ＥＬ照明パネル用取付け装置１を取付けることができるようにするために、凹部１６の深さＷ５は、有機ＥＬ照明パネル１００の厚みＰＷの１．５倍以上（Ｗ５≧１．５×ＰＷ）であり、上記一方の前壁部１３−１の端部から凹部１６における側面１６ｂの延長線までの距離Ｌ９は、有機ＥＬ照明パネル１００の厚みＰＷの１．５倍以上（Ｌ９≧１．５×ＰＷ）である。
【００２３】
また、開口部１９から有機ＥＬ照明パネル用取付け装置１に挿入された有機ＥＬ照明パネル１００を保持空間１５−１、１５−２によって保持することができるようにするために、上記他方の前壁部１３−２の長さＬ６は、有機ＥＬ照明パネル１００の長さＰＬの５％以上（Ｌ６≧ＰＬ×０．０５）であり、上記一方の前壁部１３−１の長さＬ４は、上記他方の前壁部１３−２の長さＬ６に有機ＥＬ照明パネル１００の長さＰＬの５％以上を足した長さ（Ｌ４≧ＰＬ×０．０５＋Ｌ６）である。
【００２４】
このため、凹部１６の長さＬ８は、Ｌ４＋Ｌ９となる。なお、このほか、Ｌ２＝Ｌ３＋Ｌ４、Ｌ５＝Ｌ６＋Ｌ７、Ｗ１＝Ｗ２＋Ｗ３＋Ｗ４、及び、Ｗ３＝Ｗ５＋Ｗ６、の各関係がある。
【００２５】
一具体例を挙げると、有機ＥＬ照明パネル１００の長さ、幅及び厚みがそれぞれ３００ｍｍ、３００ｍｍ及び３ｍｍである場合、例えば、Ｌ１＝３２８ｍｍ、Ｌ２＝３４ｍｍ、Ｌ３＝Ｌ７＝４ｍｍ、Ｌ４＝３０ｍｍ、Ｌ５＝１９ｍｍ、Ｌ６＝１５ｍｍ、Ｌ８＝３５ｍｍ、Ｌ９＝５ｍｍ、Ｗ１＝１８ｍｍ、Ｗ２＝Ｗ４＝４ｍｍ、Ｗ３＝１０ｍｍ、Ｗ５＝６ｍｍ、Ｗ６＝４ｍｍとなる。なお、有機ＬＥ照明パネル１００の長さ及び幅は、使用目的等による仕様により様々であるが、厚みは、一般に、３ｍｍ以下である。
【００２６】
図１に戻って、第２に、注目すべきは、有機ＥＬ照明パネル用取付け装置１には、有機ＥＬ照明パネルに電力を供給するための給電電極１４が上記他方の側壁部１２−２寄りに形成されていることである。図１に示す例では、一対の給電電極１４のうち一方の給電電極１４−１が奥壁部１１の内面１１ａにおける上記他方の側壁部１２−２寄りに形成され、一対の給電電極１４のうち他方の給電電極１４−２が上記他方の側壁部の内面１２ａ−２に形成されている。
【００２７】
このような構成の有機ＥＬ照明パネル用取付け装置１に取り付けられる有機ＥＬ照明パネル１００は、少なくとも一方が透光性の一対の第１及び第２電極層によって少なくとも発光層を含む有機発光層を挟んで成る有機ＥＬ層を透光性の基板上に配設し、前記基板と協同して前記有機ＥＬ層を封止する封止部材を備えている。
【００２８】
このような有機ＥＬ照明パネル１００の一構成例について、より具体的に説明する。図３は、有機ＥＬ照明パネルの構成を示す図である。図３（Ａ）は、有機ＥＬ照明パネルの背面図であり、図３（Ｂ）は、図３（Ａ）に示すＡＡ線における断面図である。
【００２９】
図３において、有機ＥＬ照明パネル１００は、基板１１１と、基板１１１の一方面上に積層された第１電極層１１２と、第１電極層１１２上に積層された有機発光層１１３と、有機発光層１１３上に積層された第２電極層１１４と、第１及び第２封止部材１１５、１１６と、一対の受電電極１１７（１１７−１、１１７−２）とを備えて構成される。
【００３０】
基板１１１は、少なくとも一方が透光性の一対の第１及び第２電極層１１２、１１４によって少なくとも発光層を含む有機発光層１１３を挟んで成る有機ＥＬ層を支持するための矩形の平板状の部材であり、有機発光層１１３で発光する光の波長に対して透明な材料、例えばガラス等で構成される。
【００３１】
第１電極層１１２は、有機発光層１１３で発光する光の波長に対して透明な材料から成る導電性の薄膜であり、陽極となる。第１電極層１１２は、有機発光層１１３が可視光を発光するので、例えば、可視光を透過するＩＴＯ（Indium Tin Oxide）等で形成される。
【００３２】
有機発光層１１３は、蛍光物質の有機材料又は蛍光物質を含む有機材料から成る発光層を少なくとも含んで構成され、必要に応じて、正孔注入層、正孔輸送層、電子輸送層及び電子注入層等を備える。より具体的には、第１及び第２電極層１１２、１１４も記載すると、例えば以下の層構造である。
（１）（第１電極層１１２；陽極）／発光層／（第２電極層１１４；陰極）
（２）（第１電極層１１２；陽極）／正孔輸送層／発光層／（第２電極層１１４；陰極）
（３）（第１電極層１１２；陽極）／発光層／電子輸送層／（第２電極層１１４；陰極）
（４）（第１電極層１１２；陽極）／正孔輸送層／発光層／電子輸送層／（第２電極層１１４；陰極）
（５）（第１電極層１１２；陽極）／正孔注入層／正孔輸送層／発光層／電子輸送層／電子注入層／（第２電極層１１４；陰極）
第２電極層１１４は、導電性の薄膜であり、陰極となる。第２電極層１１４は、第１電極層１１２と同様に有機発光層１１３で発光する光の波長に対して透明な材料から形成してもよいが、本形態では、有機発光層１１３で発光する光の取り出し効率を高めるために、有機発光層１１３で発光する光を反射する材料から形成される。第２電極層１１４は、例えばアルミニウム（Ａｌ）、アルミリチウム（Ａｌ：Ｌｉ）及びマグネシウム銀（Ｍｇ：Ａｇ）等の金属や合金等で形成される。第２電極層１１４は、例えば、本形態では、導電率、反射率及びコスト等の観点から、例えばアルミニウムで形成される。
【００３３】
ここで、第１電極層１１２は、その一部が第１封止部材１１５から露出するように形成され、その一部には、有機ＥＬ照明パネル１００の一側面（図２に示す例では底面）に露出するように、電力の供給を受けるための一方の受電電極１１７−１が形成されている。そして、第２電極層１１４は、その一部が第１封止部材１１５から露出するように形成され、その一部には、有機ＥＬ照明パネル１００の背面に露出するように、電力の供給を受けるための他方の受電電極１１７−２が形成されている。
【００３４】
第１及び第２封止部材１１５、１１６は、基板１１１と協同して有機発光層１１３を気密に封止するための絶縁性の部材である。例えば接着性を有する樹脂製の第１封止部材１１５が、第１電極層１１２、有機発光層１１３及び上記一部を除く第２電極層１１４を覆うように塗布され、例えばガラス製の板状部材から成る第２封止部材１１６が、第１封止部材１１５を介して第２電極層１１４上に載せられて圧力が加えられことによって、第２封止部材１１６が第１封止部材１１５によって第２電極層１１４に接着されると共に、第２封止部材１１６の周縁部が第１封止部材１１５によって基板１１１に気密に接着して接合される。これによって第１及び第２封止部材１１５、１１６は、基板１１１と協同して有機発光層１１３を気密に封止する。
【００３５】
このような構成の有機ＥＬ照明パネル１００は、第１電極層１１２と第２電極層１１４との間に直流の電力を供給することによって、有機発光層１１３が発光する。この有機発光層１１３で発光した光は、一対の第１及び第２電極層１１２、１１４によって有機発光層１１３を挟んで成る有機ＥＬ層を配設している面、即ち、第１電極層１１２が形成されている一方面に対向する他方面（発光面）から、有機ＥＬ照明パネル１００の出力光として射出される。
【００３６】
そして、このような有機ＥＬ照明パネル１００は、例えば、次の各工程によって製造される。まず、矩形のガラス製の基板１１１上における略中央部に矩形のＩＴＯの第１電極層１１２を形成する。次に、この第１電極層１１２のＩＴＯ薄膜を形成した基板１１１を、アセトン、イソプロピルアルコール（共に（株）関東化学製）、セミコクリーン（フルウチ科学製）、超純水で、それぞれ超音波洗浄を行った後、イソプロピルアルコールの蒸気で洗浄し、乾燥させる。次に、大気圧プラズマ表面処理装置（松下電工（株）製）で、この第１電極層１１２のＩＴＯ薄膜が形成された基板１１１の表面処理を行う。
【００３７】
次に、開口部を有する有機発光層用マスクを用い、４、４’−ビス［Ｎ−（ナフチル）−Ｎ−フェニル−アミノ］ビフェニル（α−ＮＰＤ）を堆積し、Ａｌｑ３にクマリンをドープした層を蒸着する。次に、Ａｌｑ３を蒸着し、ＬｉＦを蒸着する。これによって有機発光層１１３が形成される。
【００３８】
次に、開口部を有する第２電極用マスクを用いて、アルミニウムを蒸着し、アルミニウムの第２電極層１１４を形成する。
【００３９】
次に、第１電極層１１２に受電電極１１７−１を電気的に接続し、受電電極１１７−２と第２電極層１１４とを電気的に接続するために受電電極１１７−２と略同形の切り欠きを有する第２封止部材１１６としてガラス板を第１封止部材１１５としてのエポキシ系接着剤で基板１１１に貼付することによって気密に封止する。そして、受電電極１１７−２を第２電極層１１４に電気的に接続する。これによって図１に示す有機ＥＬ照明パネル１００が製造される。
【００４０】
次に、有機ＥＬ照明パネル１００を有機ＥＬ照明パネル用取付け装置１に取り付ける取付け方法について説明する。図４は、第１の実施形態に係る有機ＥＬ照明パネル用取付け装置に有機ＥＬ照明パネルを取り付ける取付け方法を説明するための図である。
【００４１】
まず、図４（Ａ）に示すように、有機ＥＬ照明パネル１００の受電電極１１７が形成されている一側面（図３に示す例では底面）が、有機ＥＬ照明パネル用取付け装置１の給電電極１４が形成されている上記他方の側壁部１２−２に向くように、上記一側面（底面）に対向する対向側面（図３に示す例では上面）から、有機ＥＬ照明パネル１００を、上記一方の前壁部１３−１の端部と凹部１６における上記側面１６ｂの上端との間に形成される空間に挿入し、有機ＥＬ照明パネル１００の上記対向側面（上面）における一側縁を凹部１６の底面１６ｃまたは凹部１６の上記側面１６ａに当て付ける（ＳＴ１）。
【００４２】
次に、図４（Ｂ）に示すように、有機ＥＬ照明パネル１００の背面が有機ＥＬ照明パネル用取付け装置１における奥壁部１１の内面に当たるように、有機ＥＬ照明パネル１００を回転させ、上記一方の前壁部１３−１の端部と上記他方の前壁部１３−２の端部とによって形成される開口部１９から有機ＥＬ照明パネル１００を有機ＥＬ照明パネル用取付け装置１に挿入する（ＳＴ２）。
【００４３】
これによって、有機ＥＬ照明パネル１００は、有機ＥＬ照明パネル用取付け装置１内に挿入され、有機ＥＬ照明パネル１００における上記対向側面（上面）側の端部が奥壁部１１、上記一方の側壁部１２−１及び上記一方の前壁部１３−１によって形成される保持空間１５−１内に配置される。ここで、仮に凹部１６が形成されていない場合には、有機ＥＬ照明パネル１００は、その上記対向側面（上面）側の端部が奥壁部１１の内面１１ａや上記一方の側壁部１３−１の内面１２ａ−１によって規制されて回転することができないが、凹部１６が形成されているので、有機ＥＬ照明パネル１００は、その上記対向側面（上面）側の端部が奥壁部１１の内面１１ａや上記一方の側壁部１３−１の内面１２ａ−１によって規制されることなく、回転することができる。また、給電電極１４が上記他方の側壁部１２−２寄りに形成されているので、この有機ＥＬ照明パネル１００を回転する際に、有機ＥＬ照明パネル１００による給電電極１４の損傷を防止することができる。
【００４４】
そして、図４（Ｃ）に示すように、有機ＥＬ照明パネル１００の受電電極１１７が形成されている上記一側面（底面）側の端部が、奥壁部１１、上記他方の側壁部１２−２及び上記他方の前壁部１３−２によって形成される保持空間１５−２に嵌まり込むように、有機ＥＬ照明パネル１００を上記他方の側壁部１２−２に向けて移動させる（ＳＴ３）。これによって、有機ＥＬ照明パネル１００における上記一側面（底面）側の端部が保持空間１５−２に嵌まり込んで奥壁部１１、上記他方の側壁部１２−２及び上記他方の前壁部１３−２によって保持され、有機ＥＬ照明パネル１００における上記対向側面（上面）側の端部が保持空間１５−１に配置されて上記一方の前壁部１３−１によって保持される。そして、有機ＥＬ照明パネル１００における一対の受電電極１１７が有機ＥＬ照明パネル用取付け装置１における一対の給電電極１４に電気的に接続する。なお、奥壁部１１の内面１１ａに形成されている給電電極１４−１は、有機ＥＬ照明パネル１００における受電電極１１７−２とより確実に電気的に接続するようにするために、奥壁部１１から前壁部１３の方向に付勢力が働くように弾性を有するように構成されてもよい。
【００４５】
上記構成の有機ＥＬ照明パネル用取付け装置１では、上述のように、有機ＥＬ照明パネル１００は、両前壁部１３の端部間に形成される正面の開口部１９から有機ＥＬ照明パネル用取付け装置１に挿入され取り付けられる。このため、有機ＥＬ照明パネル１００を背景技術に較べて、容易に有機ＥＬ照明パネル用取付け装置１に取り付けることができ、作業性が向上する。
【００４６】
そして、有機ＥＬ照明パネル１００は、その配設位置に、直接、有機ＥＬ照明パネル用取付け装置１に挿入され取り付けられる。このため、有機ＥＬ照明パネル１００を有機ＥＬ照明パネル用取付け装置１に取り付けた後に有機ＥＬ照明パネル１００が故障したとしても、上記構成の有機ＥＬ照明パネル用取付け装置１では、当該故障した有機ＥＬ照明パネル１００のみを取り外すことができるから、他の有機ＥＬ照明パネル１００を取り外す必要がない。このため、上記構成の有機ＥＬ照明パネル用取付け装置１では、背景技術に較べて手間が軽減される。
【００４７】
また、有機ＥＬ照明パネル用取付け装置１を壁や天井等の取付け面に配設した施工後において、さらに有機ＥＬ照明パネル１００を増設しようとすると場合、上記構成の有機ＥＬ照明パネル用取付け装置１では、増設位置に、直接、増設の有機ＥＬ照明パネル１００を有機ＥＬ照明パネル用取付け装置１に挿入し取り付けることができる。このため、上記構成の有機ＥＬ照明パネル用取付け装置１では、背景技術のような有機ＥＬ照明パネル用取付け装置１の一方外方に有機ＥＬ照明パネル１００に相当する面積の空間を必要としない。
【００４８】
さらに、有機ＥＬ照明パネル１００は、その配設位置に、直接、有機ＥＬ照明パネル用取付け装置１に挿入され取り付けられる。このため、背景技術に較べて給電電極１４の損傷が軽減される。
【００４９】
次に、別の実施形態について説明する。
（第２の実施形態）
図５は、第２の実施形態に係る有機ＥＬ照明パネル用取付け装置の構成を示す図である。図５（Ａ）は、有機ＥＬ照明パネル用取付け装置の斜視図であり、図５（Ｂ）は、給電電極を含む位置における、有機ＥＬ照明パネル用取付け装置の断面図である。
【００５０】
図５において、第２の実施形態に係る有機ＥＬ照明パネル用取付け装置２は、第１の実施形態と同様に、長尺板状の奥壁部２１と、奥壁部２１の両側の端縁から互いに同一方向に向けて奥壁部２１に対し垂直にそれぞれ延設される一対の側壁部２２（２２−１、２２−２）と、一対の側壁部２２におけるそれぞれの端縁から互いに内側に向けて側壁部２２に対し垂直にそれぞれ延設される一対の前壁部２３（２３−１、２３−２）と、他方の側壁部２２（図５に示す例では２２−１）寄りに形成された、有機ＥＬ照明パネル１００に電力を供給するための一対の給電電極２４（２４−１、２４−２）とを備え、奥壁部２１の内面２１ａには一方の側壁部２２（図５に示す例では図中下方の側壁部２２−２）寄りに長尺方向に断面略矩形の凹部２６が形成されている。
【００５１】
即ち、第１の実施形態に係る有機ＥＬ照明パネル用取付け装置１では、凹部１６が図１中上方に形成され給電電極１４が図１中下方に形成されたが、第２の実施形態に係る有機ＥＬ照明パネル用取付け装置２では、凹部２６が図５中下方に形成され給電電極２４が図５中上方に形成されている。
【００５２】
そして、注目すべきは、第２の実施形態に係る有機ＥＬ照明パネル用取付け装置２では、有機ＥＬ照明パネル１００を上記他方の側壁部２２−１寄りに形成された給電電極２４に当接させるために、上記一方の側壁部２２−２の内面には、上記他方の側壁部２２−１の方向に付勢する付勢機構３０が設けられていることである。
【００５３】
付勢機構３０は、弾性部材３１と、支持部材３２と、ストッパ部材３３とを備えて構成される。
【００５４】
弾性部材３１は、上記他方の側壁部２２−１の方向に付勢する部材であり、例えば、板バネやつる巻きバネ等のバネである。弾性部材３１は、上記一方の側壁部２２−２の内面における有機ＥＬ照明パネル１００の取付け位置に対応する位置に形成された配設凹部２７内に配設される。
【００５５】
支持部材３２は、弾性部材３１に固定され、有機ＥＬ照明パネル１００に弾性部材３１の弾性力を伝えると共に、取り付けられた有機ＥＬ照明パネル１００を支持する板状の部材である。
【００５６】
ストッパ部材３３は、弾性部材３１の圧縮状態と圧縮状態を解放した解放状態とを切り換えるための部材である。本実施形態では、ストッパ部材３３は、上記一方の前壁部２３−２における配設凹部２７に対応する位置に形成された貫通孔２８（図６（Ｄ）参照）に挿脱可能な板状部材であり、弾性部材３１の圧縮状態では、弾性部材３１及び支持部材３２を配設凹部２７内に収納する。この弾性部材３１の圧縮状態において、ストッパ部材３３の外面が上記一方の側壁部２２−２の内面と略面一となる高さに貫通孔２８が形成される。
【００５７】
次に、有機ＥＬ照明パネル１００を有機ＥＬ照明パネル用取付け装置２に取り付ける取付け方法について説明する。図６は、第２の実施形態に係る有機ＥＬ照明パネル用取付け装置に有機ＥＬ照明パネルを取り付ける取付け方法を説明するための図である。
【００５８】
まず、図６（Ａ）に示すように、有機ＥＬ照明パネル１００の受電電極１１７が形成されている一側面（図３に示す例では底面）が、有機ＥＬ照明パネル用取付け装置２の給電電極２４が形成されている上記他方の側壁部２２−１に向くように、上記一側面（底面）に対向する対向側面（図３に示す例では上面）から、有機ＥＬ照明パネル１００を、一方の前壁部２３（図５に示す例では前壁部２３−２）の端部と凹部２６における側面２６ｂの上端との間に形成される空間に挿入し、有機ＥＬ照明パネル１００の上記対向側面（上面）における一側縁を凹部２６の底面２６ｃまたは凹部２６の側面２６ａに当て付ける（ＳＴ１１）。凹部２６の側面２６ａは、上記一方の側壁部２２−２の内面と連続している側面であり、凹部２６の側面２６ｂは、この側面２６ａに対向する側面である。
【００５９】
次に、図６（Ｂ）に示すように、有機ＥＬ照明パネル１００の背面が有機ＥＬ照明パネル用取付け装置２における奥壁部２１の内面に当たるように、有機ＥＬ照明パネル１００を回転させ、上記一方の前壁部２３−２の端部と他方の前壁部２３（図５に示す例では前壁部２３−１）の端部とによって形成される開口部２９から有機ＥＬ照明パネル１００を有機ＥＬ照明パネル用取付け装置２に挿入する（ＳＴ１２）。これによって、有機ＥＬ照明パネル１００は、有機ＥＬ照明パネル用取付け装置２内に挿入され、有機ＥＬ照明パネル１００における上記対向側面（上面）側の端部が奥壁部２１、上記一方の側壁部２２−２及び上記一方の前壁部２３−２によって形成される保持空間２５−２内に配置される。
【００６０】
ここで、この有機ＥＬ照明パネル１００を回転させる際に、弾性部材３１及び支持部材３２は、ストッパ部材３３によって配設凹部２７に収納されているので、障害とならない。
【００６１】
そして、図６（Ｃ）に示すように、ストッパ部材３３を貫通孔２８から取り外す（ＳＴ１３）。これによって、弾性部材３１の圧縮が解放されて圧縮状態から解放状態に移行し、図６（Ｄ）に示すように、支持部材３２を介して弾性部材３１がその弾性力により有機ＥＬ照明パネル１００を上記他方の側壁部２２−１に向けて移動させ、有機ＥＬ照明パネル１００の受電電極１１７が形成されている上記一側面（底面）側の端部が、奥壁部１１、上記他方の側壁部２２−１及び上記他方の前壁部２３−１によって形成される保持空間２５−１に嵌まり込む（ＳＴ１４）。これによって、有機ＥＬ照明パネル１００における上記一側面（底面）側の端部が保持空間２５−１に嵌まり込んで奥壁部２１、上記他方の側壁部２２−１及び上記他方の前壁部２３−１によって保持され、有機ＥＬ照明パネル１００における上記対向側面（上面）側の端部が保持空間２５−２に配置されて上記一方の前壁部２３−２によって保持される。そして、有機ＥＬ照明パネル１００における一対の受電電極１１７が有機ＥＬ照明パネル用取付け装置２における一対の給電電極２４  に電気的に接続される。有機ＥＬ照明パネル１００は、弾性部材３１によって、支持部材３２を介して上記一方の側壁部２２−２から上記他方の側壁部２２−１の方向に付勢されながら支持される。
【００６２】
上記構成の有機ＥＬ照明パネル用取付け装置２は、第１の実施形態に係る有機ＥＬ照明パネル用取付け装置１と同様の作用効果を有する。さらに、有機ＥＬ照明パネル用取付け装置２に取り付けられた有機ＥＬ照明パネル１００は、支持部材３２を介して弾性部材３１によって付勢されるので、有機ＥＬ照明パネル１００における一対の受電電極１１７が有機ＥＬ照明パネル用取付け装置２における一対の給電電極２４  に、より確実に電気的に接続される。
【００６３】
なお、上述の第１及び第２の実施形態では、凹部１６、２６は、断面略矩形であり、上記一方の側壁部１２−１、２２−２寄りの側面１６ａ、２６ａは、上記一方の側壁部１２−１、２２−２の内面と連続しているが、上記一方の側壁部１２−１、２２−２寄りの側面１６ａ、２６ａと上記一方の側壁部１２−１、２２−２の内面との間に奥壁部１１、２１の内面が存在して不連続でもよい。
【００６４】
そして、上述の第１及び第２の実施形態では、凹部１６、２６は、断面略矩形であるが、これに限定されない。凹部１６、２６は、有機ＥＬ照明パネル１００の上記対向側面（上面）側の端部が奥壁部１１、２１の内面１１ａ、２１ａや上記一方の側壁部１３−１、２３−２の内面によって規制されることなく回転可能な断面形状でよく、例えば、断面略半円形や半楕円形等の弧形状でもよい。
【００６５】
また、上述の第１及び第２の実施形態では、一対の給電電極１４、２４は、奥壁部１１、２１の内面１１ａ、２１ａにおける上記他方の側壁部１３−２、２３−１寄り及び上記他方の側壁部の内面に形成されたが、これに限定されるものではない。一対の給電電極１４は、奥壁部１１、２１の内面１１ａ、２１ａにおける上記他方の側壁部１３−２、２３−１寄りに形成されてもよく、また、一対の給電電極１４は、上記他方の側壁部１３−２、２３−１の内面に形成されてもよい。
【図面の簡単な説明】
【００６６】
【図１】第１の実施形態に係る有機ＥＬ照明パネル用取付け装置の構成を示す図である。
【図２】有機ＥＬ照明パネル用取付け装置における各部の寸法を説明するための断面図である。
【図３】有機ＥＬ照明パネルの構成を示す図である。
【図４】第１の実施形態に係る有機ＥＬ照明パネル用取付け装置に有機ＥＬ照明パネルを取り付ける取付け方法を説明するための図である。
【図５】第２の実施形態に係る有機ＥＬ照明パネル用取付け装置の構成を示す図である。
【図６】第２の実施形態に係る有機ＥＬ照明パネル用取付け装置に有機ＥＬ照明パネルを取り付ける取付け方法を説明するための図である。
【図７】特許文献１に記載の表示装置の構成を示す断面図である。
【図８】表示装置の組立工程を説明するための図である。
【図９】背景技術に係る有機ＥＬ照明パネル用取付け装置の構造を示す斜視図である。
【符号の説明】
【００６７】
１、２  有機ＥＬ照明パネル取付け装置
１１、２１  奥壁部
１２、２２  側壁部
１３、２３  前壁部
１４、２４  給電電極
１６、２６  凹部
３０  付勢機構
３１  弾性部材
【図１】
0004569463.tif 000002
【図２】
0004569463.tif 000003
【図３】
0004569463.tif 000004
【図４】
0004569463.tif 000005
【図５】
0004569463.tif 000006
【図６】
0004569463.tif 000007
【図７】
0004569463.tif 000008
【図８】
0004569463.tif 000009
【図９】
0004569463.tif 000010